(57)【要約】【課題】紙処理装置における紙処理に際して発生する紙粉やトナーなどの浮遊粒子状物質を除去し、清浄な作業環境を実現することのできる、空気清浄機付き紙処理装置。【解決手段】紙を処理するための紙処理装置（１）と、紙処理装置における紙処理に際して発生する浮遊粒子状物質を除去するための空気清浄機（２）と、紙処理装置と空気清浄機とを連通状態に接続するフレキシブルパイプ（３）とを備え、空気清浄機は、紙処理装置の電源投入に連動して作動するように設定されている。空気清浄機は、紙処理装置の電源投入から所定時間だけ遅れて作動するように設定されている。【選択図】　図１
2004084130.tif 000002
【特許請求の範囲】
【請求項１】
紙を処理するための紙処理装置と、
前記紙処理装置における紙処理に際して発生する浮遊粒子状物質を除去するための空気清浄機とを備え、
前記空気清浄機は、前記紙処理装置の電源投入に連動して作動するように設定されていることを特徴とする空気清浄機付き紙処理装置。
【請求項２】
前記空気清浄機は、前記紙処理装置の電源投入から所定時間だけ遅れて作動するように設定されていることを特徴とする請求項１に記載の空気清浄機付き紙処理装置。
【請求項３】
紙を処理するための紙処理装置と、
前記紙処理装置における紙処理に際して発生する浮遊粒子状物質を除去するための空気清浄機とを備え、
前記空気清浄機は、前記紙処理装置の運転またはカバーの開閉に連動して作動するように設定されていることを特徴とする空気清浄機付き紙処理装置。
【請求項４】
前記紙処理装置と前記空気清浄機とを連通状態に接続するフレキシブルパイプを備えていることを特徴とする請求項１乃至３のいずれか１項に記載の空気清浄機付き紙処理装置。
【発明の詳細な説明】
【０００１】
【発明の属する技術分野】
本発明は、空気清浄機付き紙処理装置に関するものである。
【０００２】
【従来の技術】
従来、紙をミシン目に沿って切り離す処理、紙を切断する処理、紙を破砕する処理、紙にプリントをする処理などを行う紙処理装置が知られている。
【０００３】
【発明が解決しようとする課題】
この種の紙処理装置では、紙の切離し処理や切断処理や破砕処理に際して、微小な紙粉が発生することが考えられる。また、紙のプリント処理に際して、微小なトナーが発生することが考えられる。
【０００４】
しかしながら、従来技術では、紙処理装置における紙処理に際して発生する紙粉やトナーなどの浮遊粒子状物質を除去するための特段の手段が講じられていない。
【０００５】
本発明は、前述の課題に鑑みてなされたものであり、紙処理装置における紙処理に際して発生する紙粉やトナーなどの浮遊粒子状物質を除去し、清浄な作業環境を実現することのできる、空気清浄機付き紙処理装置を提供することを目的とする。
【０００６】
【課題を解決するための手段】
前記課題を解決するために、本発明の第１発明では、紙を処理するための紙処理装置と、前記紙処理装置における紙処理に際して発生する浮遊粒子状物質を除去するための空気清浄機とを備え、前記空気清浄機は、前記紙処理装置の電源投入に連動して作動するように設定されていることを特徴とする空気清浄機付き紙処理装置を提供する。この場合、前記空気清浄機は、前記紙処理装置の電源投入から所定時間だけ遅れて作動するように設定されていることが好ましい。
【０００７】
本発明の第２発明では、紙を処理するための紙処理装置と、前記紙処理装置における紙処理に際して発生する浮遊粒子状物質を除去するための空気清浄機とを備え、前記空気清浄機は、前記紙処理装置の運転またはカバーの開閉に連動して作動するように設定されていることを特徴とする空気清浄機付き紙処理装置を提供する。
【０００８】
第１発明および第２発明の好ましい態様によれば、前記紙処理装置と前記空気清浄機とを連通状態に接続するフレキシブルパイプを備えている。
【０００９】
【発明の実施の形態】
本発明の実施形態を、添付図面に基づいて説明する。
図１は、本発明の実施形態にかかる空気清浄機付き紙処理装置の構成を概略的に示す図である。また、図２は、本実施形態における動作タイミングを示すタイミングチャートである。
【００１０】
図１を参照すると、本実施形態は、紙を処理するための紙処理装置１と、浮遊粒子状物質を吸引除去するための空気清浄機２と、紙処理装置１と空気清浄機２とを連通状態に接続するフレキシブルパイプ３ａおよび３ｂとを備えている。具体的には、紙処理装置１は、紙をミシン目に沿って切り離す処理、紙を切断する処理、紙を破砕する処理、紙にプリントをする処理などを行う装置である。
【００１１】
したがって、紙処理装置１では、紙の切離し処理や切断処理や破砕処理に際して微小な紙粉が発生し、紙のプリント処理に際して微小なトナーが発生することが考えられる。紙処理装置１は、外部のＡＣ電源１０に接続された電気コード１ａを介して電力が供給されるように構成されている。また、紙処理装置１において紙粉やトナーが発生し易い箇所にフレキシブルパイプ３ａおよび３ｂの一端が接続されている。
【００１２】
一方、空気清浄機２は、ＮＯｘ、ＳＯｘなどの浮遊粒子状物質を吸引して清浄な空気を排出する機能を有する。空気清浄機２は、紙処理装置１の電源投入（主電源スイッチの投入）がなされると、紙処理装置１のＡＣ電源供給部１ｂに接続された電気コード２ａを介して電力が供給されるように構成されている。なお、空気清浄機２には、空気清浄機２への電力供給から所定時間ｔだけ遅れて空気清浄機２を作動させるためのタイマー２ｂが設けられている。
【００１３】
本実施形態では、空気清浄機２の電気コード２ａが紙処理装置１のＡＣ電源供給部１ｂに常時接続されている。したがって、図２に示すように、紙処理装置１の電源を投入（主電源スイッチを投入）すると（時間Ｔ１）、紙処理装置１への電力供給が開始されると同時に、空気清浄機２への電力供給も開始される。そして、タイマー２ｂの作用により、紙処理装置１および空気清浄機２への電力供給の開始時間から所定の時間ｔ（たとえば数秒）だけ遅れて空気清浄機２の運転が開始される（時間Ｔ２）。
【００１４】
このように、空気清浄機２の電源供給のタイミングと、空気清浄機２の運転のタイミングとを同時に行うことは、空気清浄機２への電流負荷が大きく好ましくないことから、空気清浄機２への電力供給から所定の時間ｔだけ遅れて空気清浄機２の運転を開始することが望ましい。紙処理装置１への電力供給が開始された後は、必要に応じて、紙処理装置１の運転を開始したり、停止したりする。しかしながら、空気清浄機２の運転は、紙処理装置１における運転の開始または停止に依存することなく続行される。
【００１５】
そして、紙処理装置１の電源の切断（主電源スイッチのオフ）により、紙処理装置１への電力供給が停止されると（時間Ｔ３）、空気清浄機２への電力供給が停止されると同時に、空気清浄機２の運転も停止される。以上のように、本実施形態では、紙処理装置１の電源投入（主電源スイッチの投入）に連動して空気清浄機２が作動するように設定されているので、紙処理装置１における紙処理に際して発生する紙粉やトナーなどの浮遊粒子状物質を除去し、清浄な作業環境を実現することができる。
【００１６】
なお、上述の実施形態では、紙処理装置１の電源投入に連動して空気清浄機２が作動するように設定している。しかしながら、これに限定されることなく、たとえば紙処理装置の運転に連動して空気清浄機が作動するように設定することができる。すなわち、紙処理装置の運転が開始されると空気清浄機の運転が開始され、紙処理装置の運転が停止されると空気清浄機の運転が停止されるように構成することができる。
【００１７】
また、紙処理装置のカバー（紙供給用カバー、紙取出し用カバー、点検用カバーなど）の開閉に連動して空気清浄機が作動するように設定することもできる。すなわち、紙処理装置のカバーが開かれると中から出てくる浮遊粒子状物質を除去するために空気清浄機の運転が開始され、紙処理装置のカバーが閉じられると（あるいはカバーが閉じられてから所定時間の経過後に）空気清浄機の運転が停止されされるように構成することができる。
【００１８】
【発明の効果】
以上説明したように、本発明では、たとえば紙処理装置の電源投入に連動して空気清浄機が作動するように設定されているので、紙処理装置における紙処理に際して発生する紙粉やトナーなどの浮遊粒子状物質を除去し、清浄な作業環境を実現することができる。
【図面の簡単な説明】
【図１】本発明の実施形態にかかる空気清浄機付き紙処理装置の構成を概略的に示す図である。
【図２】本実施形態における動作タイミングを示すタイミングチャートである。
【符号の説明】
１　紙処理装置
１ａ，２ａ　電気コード
２　空気清浄機
２ｂ　タイマー
３　フレキシブルパイプ
１０　ＡＣ電源
【図１】
2004084130.tif 000003
【図２】
2004084130.tif 000004